(57)【要約】【課題】透光部を有する表示体の内部に発光体を配設し、この発光体に電力を供給して発光させ、発光体の光を透光部を透過させることによって所定の情報を表示する場合に、部品点数を低減して製造工程を簡素化する。【解決手段】表示装置１は、透光部７ａを有する中空状の表示体７と、表示体７の内部に配設され、内部を区画するための区画部材１１〜１５と、表示体７の内部における区画部材１１〜１５により区画された空間内に配設され、電力の供給によって点灯する発光体２１〜２５とを備え、発光体１１〜２５の光を表示体７の透光部７ａを透過させることによって所定の情報を表示するように構成されている。区画部材１１〜１５は、発光体２１〜２５に接続される配線１１ｃを有する基板で構成されている。【選択図】図１
2010164898.tif 000002
【特許請求の範囲】
【請求項１】
透光部を有する中空状の表示体と、
上記表示体の内部に配設され、内部を区画する区画部材と、
上記表示体の内部における上記区画部材により区画された空間内に配設され、電力の供給によって点灯する発光体とを備え、
上記発光体の光を上記表示体の透光部を透過させることによって所定の情報を表示するように構成された表示装置において、
上記区画部材は、上記発光体に接続される配線を有する基板で構成されていることを特徴とする表示装置。
【請求項２】
請求項１に記載の表示装置において、
複数の区画部材が、互いに間隔をあけて並ぶように設けられ、
上記区画部材の並ぶ方向に延び、該区画部材が連結される連結部材を備えていることを特徴とする表示装置。
【請求項３】
請求項２に記載の表示装置において、
連結部材は、各区画部材の配線に接続される配線を有する基板で構成されていることを特徴とする表示装置。
【請求項４】
請求項３に記載の表示装置において、
区画部材には、該区画部材の配線に接続される第１連結器が設けられ、
連結部材には、該連結部材の配線に接続されるとともに、上記第１連結器に着脱される第２連結器が設けられ、
上記第１連結器が上記第２連結器に装着された状態で、上記区画部材の配線と上記連結部材の配線とが導通することを特徴とする表示装置。
【請求項５】
請求項２から４のいずれか１つに記載の表示装置において、
区画部材には、連結部材が嵌る嵌合部が形成されていることを特徴とする表示装置。
【請求項６】
請求項１から５のいずれか１つに記載の表示装置において、
発光体は、区画部材に実装されていることを特徴とする表示装置。
【発明の詳細な説明】
【技術分野】
【０００１】
本発明は、発光体の光を利用して各種情報を表示するように構成された表示装置に関する。
【背景技術】
【０００２】
従来より、この種の表示装置として、例えば、特許文献１に開示されているように、バスケットボール競技に用いられるファウル表示装置が知られている。ファウル表示装置は、ファウル回数を示す複数の数字が印刷された透光部を有する中空状の表示体と、表示体の内部において数字の位置に対応するように配設されるランプと、ランプの光が他の数字に対応する部位に届かないように表示体の内部を区画する隔壁と、ランプに電力を供給するための配線とを備えている。そして、所望の数字に対応するランプを点灯させることにより、ランプの光が隔壁により遮られて所望の数字がある透光部のみ透過するようになり、その数字がファウル回数として表示される。
【特許文献１】特開平１−１１９２７１号公報
【発明の開示】
【発明が解決しようとする課題】
【０００３】
ところが、特許文献１の表示装置のようにランプの光を透過させる構造では、表示体の内部に、ランプ、隔壁及び配線を設けなければならない。よって、部品点数が多くなり、製造工程が煩雑になるという問題がある。
【０００４】
本発明は斯かる点に鑑みてなされたものであり、その目的とするところは、透光部を有する表示体の内部に発光体を配設し、この発光体に電力を供給して発光させ、発光体の光を透光部を透過させることによって所定の情報を表示する場合に、部品点数を低減して製造工程を簡素化することにある。
【課題を解決するための手段】
【０００５】
上記目的を達成するために、本発明では、発光体に電力を供給するための配線を有する基板を用いて表示体の内部を区画するようにした。
【０００６】
具体的には、第１の発明では、透光部を有する中空状の表示体と、上記表示体の内部に配設され、内部を区画する区画部材と、上記表示体の内部における上記区画部材により区画された空間内に配設され、電力の供給によって点灯する発光体とを備え、上記発光体の光を上記表示体の透光部を透過させることによって所定の情報を表示するように構成された表示装置において、上記区画部材は、上記発光体に接続される配線を有する基板で構成されているものとする。
【０００７】
この構成によれば、基板の配線によって発光体に電力が供給される。発光体の光は表示体の透光部を透過し、これにより、各種情報が表示される。このとき、表示体の内部が区画部材により区画されているので、発光体の光が、情報の表示に不要な部位まで届くのが抑制される。この区画部材が配線を有する基板であることから、配線は区画部材と一体であり、部品点数が削減される。
【０００８】
第２の発明では、第１の発明において、複数の区画部材が、互いに間隔をあけて並ぶように設けられ、上記区画部材の並ぶ方向に延び、該区画部材が連結される連結部材を備えているものとする。
【０００９】
この構成によれば、複数の区画部材が連結部材により連結されて区画部材同士の間隔が保たれるようになる。
【００１０】
第３の発明では、第２の発明において、連結部材は、各区画部材の配線に接続される配線を有する基板で構成されているものとする。
【００１１】
この構成によれば、電力は、連結部材の配線から各区画部材の配線を介して発光体に供給される。このとき、連結部材が配線を有する基板であることから、配線は区画部材と一体であり、部品点数が削減される。
【００１２】
第４の発明では、第３の発明において、区画部材には、該区画部材の配線に接続される第１連結器が設けられ、連結部材には、該連結部材の配線に接続されるとともに、上記第１連結器に着脱される第２連結器が設けられ、上記第１連結器が上記第２連結器に装着された状態で、上記区画部材の配線と上記連結部材の配線とが導通する構成とする。
【００１３】
この構成によれば、区画部材の第１連結器を連結部材の第２連結器に装着することで、区画部材が連結部材に連結されるとともに、区画部材と連結部材との両配線が導通状態となる。
【００１４】
第５の発明では、第２から４のいずれか１つの発明において、区画部材には、連結部材が嵌る嵌合部が形成されている構成とする。
【００１５】
この構成によれば、連結部材が区画部材の嵌合部に嵌合することで、区画部材が連結部材に対し位置決めされる。
【００１６】
第６の発明では、第１から５のいずれか１つの発明において、発光体は、区画部材に実装されている構成とする。
【００１７】
この構成によれば、発光体が区画部材に予め組み付けられた状態で該区画部材の配線と接続される。
【発明の効果】
【００１８】
第１の発明によれば、透光部を有する表示体の内部を区画する区画部材を、発光体に接続される配線を有する基板で構成したので、区画部材と配線とを一部品にして区画部材と配線とを一度に組み付けることができ、製造工程を簡素化できる。
【００１９】
第２の発明によれば、複数の区画部材を連結部材に組み付けることにより区画部材同士の間隔を保つことができる。
【００２０】
第３の発明によれば、各区画部材の配線に接続される配線を有する基板で連結部材を構成したので、連結部材を利用して発光体に電力の供給を行うことができ、この場合に部品点数の増加を抑制できる。
【００２１】
第４の発明によれば、区画部材を連結部材に連結する作業を行うだけで、区画部材と連結部材との両配線を導通させることができるので、製造工程をより一層簡素化できる。
【００２２】
第５の発明によれば、区画部材に、連結部材が嵌る嵌合部を形成したので、区画部材の連結部材に対するずれを防止できる。
【００２３】
第６の発明によれば、発光体を区画部材に実装するようにしたので、後工程で発光体と区画部材の配線との接続作業を不要にでき、製造工程をより一層簡素化できる。
【発明を実施するための最良の形態】
【００２４】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２５】
図１は、本発明の実施形態に係る表示装置１である。この表示装置１は、バスケットボール競技やフットサル競技において、ファウル回数を表示するためのファウル表示装置であり、表示器２と、操作ボックス３とを備えている。
【００２６】
表示器２は、上下方向に長く延びる形状となっている。表示器２の下部には、基台５が設けられ、この基台５の上面には、透光部７ａを有する中空状の表示体７が固定されている。図２に示すように、表示体７の内部には、透光性を有するシートＳが挿入されている。このシートＳは、表示体７の内周面に沿うような形とされており、シートＳには、ファウル回数を示すための表示部Ｆ１〜Ｆ５が設けられている。
【００２７】
図２に示すように、表示体７の内部には、第１〜第５区画部材１１〜１５と、これら区画部材１１〜１５を連結する連結部材１７と、一対の支柱１８，１８とが設けられている。第１〜第５区画部材１１〜１５には、第１〜第５赤色発光ダイオード（発光体）２１〜２５がそれぞれ取り付けられている。また、第１〜第４区画部材１１〜１４には、第１〜第４白色発光ダイオード（発光体）５１（図３参照）がそれぞれ取り付けられている。第１〜第５赤色発光ダイオード２１〜２５及び第１〜第４白色発光ダイオード５１には、操作ボックス３から電力が供給されるようになっている。第１〜第５赤色発光ダイオード２１〜２５及び第１〜第４白色発光ダイオード５１の光はシートＳ及び表示体７の周壁部で構成された透光部７ａを透過し、これにより、ファウル回数が表示されるようになっている。
【００２８】
基台５は、円板状の上壁部６と、上壁部６の周縁部から下方へ向けて延びる周壁部８とを備えている。上壁部６の中央部には、貫通孔６ａが形成されている。上壁部６の貫通孔６ａよりも外側寄りには、表示体７が嵌合する環状凸部６ｃが上方へ突出するように形成されている。この環状凸部６ｃは、上壁部６の中心が円中心となる円環状をなしている。また、上壁部６の上面には、環状凸部６ｃの内側に、金属製の円板材２７が重なるようにして配設されている。この円板材２７の径は、環状凸部６ｃの内径よりも小さく設定されている。また、周壁部８の下縁部には、切欠部８ａが形成されている。配線２６は切欠部８ａを通って基台５の外部へ延びている。
【００２９】
表示体７は、透明なポリカーボネートを円筒状に成形してなるものである。表示体７は、その軸線が上下方向に延び、かつ、基台５の上壁部６の中心と一致するようにして基台５に固定されている。表示体７の外径は、該表示体７の下端部が環状凸部６ｃの内側に嵌るように設定されており、表示体７の下端部は環状凸部６ｃに嵌った状態で基台５に位置決めされるようになっている。円板材２７は、表示体７の内部に位置している。
【００３０】
図１に示すように、表示体７の内部に挿入されたシートＳの表示部Ｆ１〜Ｆ５は、それぞれ「１」〜「５」までの数字を印刷してなるものである。表示部Ｆ１は「１」を示し、表示体７の下部に位置し、表示部Ｆ２〜Ｆ５はそれぞれ「２」〜「５」を示し、表示体７の上に向かって順に並んでいる。表示部Ｆ１〜Ｆ５は、表示体７の周壁部から透けて見えるようになっている。表示部Ｆ１〜Ｆ５の間隔は略等間隔である。また、表示部Ｆ１〜Ｆ５の色は、例えば黒色等の光が透過しない色が好ましいが、表示体７の色とは異なる色であれば特に限定されない。また、表示部Ｆ１〜Ｆ５の色を互いに異ならせてもよい。
【００３１】
尚、表示体７は、ポリカーボネート以外の樹脂材や強化ガラス等で構成してもよい。また、表示体７は、無色透明であってもよいし、乳白色やスモーク色で着色されていてもよく、色としては特に限定されないが、第１〜第５赤色発光ダイオード２１〜２５及び第１〜第４白色発光ダイオード５１の光の一部が外部に透過可能な色であればよい。
【００３２】
支柱１８，１８は、表示体７の軸線と平行に延びる丸棒材で構成されている。図２に示すように、支柱１８の下部には、上下方向に延びる円管状の取付部材３０，３０が設けられている。この取付部材３０，３０の下部は、円板材２７を介して基台５に固定されている。取付部材３０，３０は、上壁部６の中心から等距離離れている。取付部材３０の外径は、支柱１８の外径よりも大きくなっている。支柱１８下部は、取付部材３０上部の内周面に形成されたねじ溝（図示せず）に螺合するようになっている。また、取付部材３０下部の内周面に形成されたねじ溝（図示せず）に締結部材３８が螺合し、この締結部材３８により取付部材３０が円板材２７に固定されるようになっている。尚、支柱１８，１８の上端部には、ねじ溝（図示せず）が形成されている。
【００３３】
第１〜第５区画部材１１〜１５は、表示体７の内部を、表示部Ｆ１〜Ｆ５の位置に対応して５つの空間Ｒ１〜Ｒ５（図２にのみ示す）に区画して所定の空間内の光が他の空間へ漏れるのを抑制するためのものである。第１〜第５区画部材１１〜１５は、プリント基板を円形の板状に成形してなり、図２に示すように、径は、表示体７の内径よりも若干小さめに設定されている。第１〜第５区画部材１１〜１５の両面は、白色に塗装されている。この塗装色としては、白色に限られるものではなく、光を反射する色が好ましい。
【００３４】
第１〜第５区画部材１１〜１５は、略水平に延び、上下方向に間隔をあけて配置され、連結部材１７に連結されている。第１区画部材１１は、表示部Ｆ１と表示部Ｆ２との間に配置され、第２区画部材１２は、表示部Ｆ２と表示部Ｆ３の間に配置され、第３区画部材１３は、表示部Ｆ３と表示部Ｆ４との間に配置され、第４区画部材１４は、表示部Ｆ４と表示部Ｆ５との間に配置され、第５区画部材１５は、表示体７の上端部近傍において表示部Ｆ５よりも上方に配置されている。
【００３５】
第１〜第５区画部材１１〜１５は同じものである。各区画部材１１〜１５には、連結部材１７が嵌合するスリット１１ａ（図３に第１区画部材１１のものを示す）が形成されている。図４に示すように、スリット１１ａの幅は、連結部材１７の厚みと略同じくらいに設定されている。スリット１１ａは、第１区画部材１１の縁部から中心部まで真っ直ぐに延びており、連結部材１７が、スリット１１ａ内を通って区画部材１１の縁部から中心部まで入り込むようになっている。第１〜第５区画部材１１〜１５には、支柱１８，１８が挿通する一対の支柱挿通孔１１ｂ（図３に第１区画部材１１のものを示す）が形成されている。支柱挿通孔１１ｂ，１１ｂは、円形状であり、支柱１８，１８の配設位置に対応して第１区画部材１１の中心を対称の中心とした点対称に位置付けられている。
【００３６】
図３に示すように、第１区画部材１１の下面には、６つの第１赤色発光ダイオード２１，２１，…が実装されている。第１赤色発光ダイオード２１，２１，…は、第１区画部材１１の中心周りに周方向に等間隔に配置されており、下方へ向けて広い範囲に光を放射するように構成された広拡散型のものである。第２〜第５区画部材１２〜１５にも同様に第２〜第５赤色発光ダイオード２２〜２５が実装されている。
【００３７】
また、第１区画部材１１の下面には、３つの第１白色発光ダイオード５１，５１，…が実装されている。第１白色発光ダイオード５１，５１，…は、周方向に隣り合う第１赤色発光ダイオード２１，２１の間に位置するように、かつ、第１区画部材１１の中心周りに周方向に等間隔に配置されている。これら第１白色発光ダイオード５１も広拡散型のものである。第２〜第４区画部材１２〜１４にも同様に第２〜第４白色発光ダイオード（図示せず）が実装されている。
【００３８】
尚、第１〜第５区画部材１１〜１５の位置や、個数、構造は、特に限定されるものではなく、自由に設定できる。
【００３９】
また、第１区画部材１１の下面には、第１オスコネクタ（第１連結器）１１ｃが実装されている。第１オスコネクタ１１ｃは、スリット１１ａの奥側の縁部に沿うように位置付けられており、下方から後述の第１メスコネクタ３１が装着されるようになっている。図２に示すように、第２〜第５区画部材１２〜１５にも同様に第２〜第５オスコネクタ１２ｃ〜１５ｃが実装されている。
【００４０】
第１〜第５区画部材１１〜１５の上面には、各発光ダイオード２１〜２５，５１に電力を供給するための配線１１ｄ，１１ｄ，…（図３に第１区画部材１１のものを示す）が形成されていて、区画部材１１〜１５と配線１１ｄ，１１ｄ，…とは一部品となっている。配線１１ｄ，１１ｄ，…は、オスコネクタ１１ｃから各発光ダイオード２１〜２５，５１まで延びている。配線１１ｄの取り回しは任意に設定でき、図示したものに限られない。
【００４１】
連結部材１７は、第１〜第５区画部材１１〜１５と同様なプリント基板で構成されている。この連結部材１７の両面も白色に塗装されている。連結部材１７は、上下方向に長く延びる矩形状をなし、上下方向の寸法は表示体７の同方向の寸法よりも短く設定されている。連結部材１７は、支柱１８，１８の間に配置され、その下端部は、円板材２７の上面に接している。これにより、第１〜第５区画部材１１〜１５の高さが決定されるようになっている。
【００４２】
連結部材１７の一側面には、図５に示すように、第１〜第５区画部材１１〜１５のオスコネクタ１１ｃ〜１５ｃに対応するように、第１〜第５メスコネクタ（第２連結器）３１〜３５が実装されている。第１〜第５メスコネクタ３１〜３５は、それぞれ、第１〜第５区画部材１１〜１５のオスコネクタ１１ｃ〜１５ｃに着脱されるものである。従って、第１メスコネクタ３１は、第１区画部材１１の下側に位置し、オスコネクタ１１ｃが上方から差し込まれるようになっている。第２〜第５メスコネクタ３２〜３５も、同様に、第２〜第５区画部材１２〜１５の下側に位置し、オスコネクタ１２ｃ〜１５ｃが上方から差し込まれるようになっている。また、連結部材１７の下端部には、配線２６のコネクタ２６ａ（図２参照）が着脱されるコネクタ３６が実装されている。
【００４３】
連結部材１７の他側面には、図示しないが、第１〜第５赤色発光ダイオード２１〜２５及び第１〜第４白色発光ダイオード５１に接続される配線が形成されている。連結部材１７の配線は、第１〜第５メスコネクタ３１〜３５の各々から連結部材１７の下端部まで延びており、これら配線に、配線２６が接続されるようになっている。配線２６は、第１〜第５赤色発光ダイオード２１〜２５及び第１〜第４白色発光ダイオード５１の各々に電力を供給することができるものである。
【００４４】
また、図１に示すように、表示体７の上端部には、キャップ部材４０が取り付けられるようになっている。キャップ部材４０は、表示体７の上端部を覆う円形板状の部材で構成されている。図２に示すように、キャップ部材４０には、支柱１８，１８の上端部が挿通する貫通孔４０ａ，４０ａが形成されている。キャップ部材４０の周縁部には、表示体７の上端部の外側に嵌合する嵌合部４０ｂが形成されている。キャップ部材４０は、貫通孔４０ａ，４０ａに挿通した支柱１８，１８の上端部にナット４１，４１をそれぞれ螺合させることで支柱１８，１８に固定されるようになっている。
【００４５】
操作ボックス３は、電源に接続されており、第１〜第５赤色発光ダイオード２１〜２５及び第１〜第４白色発光ダイオード５１の各々を点灯または消灯させるためのスイッチ（図示せず）を備えたものである。
【００４６】
次に、上記のように構成された表示装置１の製造要領について説明する。まず、第１〜第５区画部材１１〜１５を連結部材１７に組み付けていく。このとき、図５に示すように、第１区画部材１１を第１メスコネクタ３１と第２メスコネクタ３２との間に配置してから、図６に示すように、スリット１１ａに連結部材１７が入り込むように第１区画部材１１を矢印Ａの方向に移動させていく。
【００４７】
そして、第１区画部材１１を下方へ移動させると、図７に示すように、オスコネクタ１１ｃが第１メスコネクタ３１に差し込まれて装着された状態となる。このようにして第１〜第５区画部材１１〜１５を連結部材１７に組み付ける。これにより、連結部材１７の各配線と、第１〜第５区画部材１１〜１５の各配線１１ｄとが接続されて導通状態となる。第１〜第５区画部材１１〜１５をプリント基板で構成したことで、上述の如く区画部材１１〜１５の組み付けと配線１１ｄの組み付けとを一度に行うことが可能となる。また、区画部材１１のスリット１１ａに連結部材１７が嵌っており、さらに連結部材１７が円板材２７に接しているので、区画部材１１の位置ずれが起こり難い。
【００４８】
その後、図７に示すように、支柱１８，１８を第１区画部材１１の下方から支柱挿通孔（この図には示さず）に挿通させて、図８に示すように、取付部材３０，３０に固定する。
【００４９】
また、図２に示すように、円板材２７を基台５の上面に重ねて、上壁部６に締結部材３９により締結する。
【００５０】
次いで、表示体７を第５区画部材１５の上方から組み付ける。この表示体７の周壁部の内部には、シートＳを丸めて挿入する。しかる後、キャップ部材４０を表示体７の上端部に嵌め、図１に示すように、支柱１８，１８の上端部にナット４１，４１を螺合させる。これにより、キャップ部材４０によって表示体７が基台５に押し付けられて固定される。
【００５１】
次に、上記表示装置１をバスケットボール競技で使用する場合について説明する。ファウル回数が１回の場合には、操作ボックス３のスイッチ操作により第１区画部材１１の第１白色発光ダイオード５１のみを点灯させる。このとき、表示体７の内部が第１区画部材１１により区画されていることから、第１白色発光ダイオード５１から放射される光は、表示部Ｆ２がある側（図２の空間Ｒ２側）に漏れるのが抑制されて、表示部Ｆ１がある領域を透過して外部に漏れる。これにより、外部からは表示部Ｆ１がある領域のみが明るくなり、ファウル回数が１回であるという情報が表示されることになる。ファウル回数が２回となった場合には、第１白色発光ダイオード５１を点灯させたまま、第２区画部材１２の第２白色発光ダイオードを点灯させる。ファウル回数が３回となった場合にも、第１及び第２白色発光ダイオード５１を点灯させたまま、第３区画部材１３の第３白色発光ダイオードを点灯させる。そして、ファウル回数が４回となった場合には、第１〜第３白色発光ダイオード５１を消灯させて、第１〜第４赤色発光ダイオード２１〜２４を全て点灯させる。また、ファウル回数が５回となった場合には、第１〜第４白色発光ダイオード５１を消灯させたまま、第１〜第５赤色発光ダイオード２１〜２５を全て点灯させる。
【００５２】
次に、上記表示装置１をフットサル競技で使用する場合について説明する。ファウル回数が１回〜４回の場合には、上記したバスケットボール競技におけるファウル回数が１回〜３回の場合と同様に、第１〜第４白色発光ダイオード５１を点灯させる。そして、ファウル回数が５回となった場合には、第１〜第４白色発光ダイオード５１を消灯させて、第１〜第５赤色発光ダイオード２１〜２５を全て点灯させる。尚、第１〜第５赤色発光ダイオード２１〜２５及び第１〜第４白色発光ダイオード５１の点灯パターンは、競技規則の変更により変えることが可能である。
【００５３】
以上説明したように、この実施形態に係る表示装置１によれば、表示体７の内部を区画する第１〜第５区画部材１１〜１５を、発光ダイオード２１〜２５，５１に接続される配線１１ｄを有する基板で構成したので、部品点数を削減して区画部材１１〜１５と配線とを一度に組み付けることができ、製造工程を簡素化できる。
【００５４】
また、第１〜第５区画部材１１〜１５を連結部材１７に組み付けるだけで隣り合う区画部材１１〜１５同士の間隔を保つことができる。
【００５５】
また、各区画部材１１〜１５の配線１１ｄに接続される配線を有する基板で連結部材１７を構成したので、連結部材１７を利用して発光ダイオード２１〜２５，５１に電力を供給でき、部品点数の増加を抑制できる。
【００５６】
また、区画部材１１〜１５を連結部材１７に連結する作業を行うだけで、区画部材１１〜１５と連結部材１７との両配線を導通させることができるので、製造工程をより一層簡素化できる。
【００５７】
また、区画部材１１〜１５に、連結部材１７が嵌るスリット１１ａを形成したので、区画部材１１〜１５の連結部材１７に対するずれを防止できる。
【００５８】
また、第１〜第５赤色発光ダイオード２１〜２５及び第１〜第４白色発光ダイオード５１を区画部材１１〜１５に実装するようにしたので、後工程で発光ダイオード２１〜２５，５１と区画部材１１〜１５の配線１１ｄとの接続作業を不要にでき、製造工程をより一層簡素化できる。
【００５９】
また、発光体として発光ダイオード２１〜２５，５１を用いたので、点灯時の発熱量が少なく熱による障害の発生を未然に防止できるとともに、寿命が長く長期間に亘って殆どメンテナンスすることなく使用できる。
【００６０】
尚、上記実施形態では、数字を「１」〜「５」までとして表示体７の内部を５つに区画しているが、「６」以上の数字も表示できるようにして表示体７の内部を６つ以上に区画してもよい。また、表示体７の内部の区画数を４以下としてもよい。
【００６１】
また、第１〜第５区画部材１１〜１５の上面や下面、連結部材１７の側面には、光を反射する反射面を設けてもよい。
【００６２】
また、本発明は、ファウル表示装置以外に適用することができる。この場合、表示体７には、数字の代わりに、アルファベットや仮名文字、各種記号、文章、図等を表示できるようにしてもよい。また、表示体７の形状は円筒に限られるものではなく、角筒状や円錐状、角錐状であってもよい。また、表示体７は水平方向に長い形状や、斜めに長い形状であってもよい。
【００６３】
また、例えば、表示体７に、透光性を有する赤色、黄色、緑色等の着色を施して赤色部分、黄色部分、緑色部分の各々を発光体で明るくことで、信号機のような表示装置としても利用できる。
【００６４】
また、上記実施形態では、発光体を発光ダイオード２１〜２５，５１で構成した場合について説明したが、これに限らず、フィラメントを有する電球や、有機ＥＬ（Electro Luminescence）等を用いることができる。また、発光体の光の色は、赤や青等であってもよい。
【産業上の利用可能性】
【００６５】
以上説明したように、本発明に係る表示装置は、例えば、バスケットボール競技やフットサル競技のファウル表示装置に適している。
【図面の簡単な説明】
【００６６】
【図１】表示装置の正面図である。
【図２】表示器の断面構造を説明する図である。
【図３】第１仕切部材を下方から見た図である。
【図４】図７のIV−IV線断面図である。
【図５】第１〜第５仕切部材を組み付ける場合を説明する側面図である。
【図６】第１仕切部材を組み付ける場合を説明する図４相当図である。
【図７】支柱を組み付ける場合の図５相当図である。
【図８】支柱が組み付けられた状態の図５相当図である。
【符号の説明】
【００６７】
１              表示装置
２              表示器
３              操作ボックス
７              表示体
７ａ            透光部
１１〜１５      第１〜第５仕切部材
１１ａ          スリット（嵌合部）
１１ｃ〜１５ｃ  第１〜第５オスコネクタ（第１連結器）
１１ｄ          配線
１７            連結部材
２１〜２５      第１〜第５発光ダイオード（発光体）
３１〜３５      第１〜第５メスコネクタ（第２連結器）
【図１】
2010164898.tif 000003
【図２】
2010164898.tif 000004
【図３】
2010164898.tif 000005
【図４】
2010164898.tif 000006
【図５】
2010164898.tif 000007
【図６】
2010164898.tif 000008
【図７】
2010164898.tif 000009
【図８】
2010164898.tif 000010